(57)【特許請求の範囲】
【請求項１】
大略筒状をなし長手方向に延びる導体を内方に保持するとともに長手方向に連続する開口部を有した配線ダクトに取り付けられる配線ダクト用電気接続器であって、開口部から内方に挿入される挿入部と、挿入部に出没自在に設けられていて導体に電気的に接触する接触部と配線ダクトに機械的に係止する係止突部と、挿入部とは反対側に設けて差し込みプラグの差込口を有するコンセント部と、差込口と電気的に接続されると共に前記挿入部の内部に設けられ基端部を固定し且つ先端部に前記接触部を備える板ばねと、板ばねの中間部を押圧し接触部を挿入部の外部に突出させる押圧子と、を備えた配線ダクト用電気接続器において、配線ダクトの長手方向に隣接して取り付けられた電気接続器が干渉せず、かつ、差込口への差し込みプラグの差し込みを阻害しない器具位置に、上記係止突部を突没させると共に接触部を突没させる操作部を設けて成ることを特徴とする配線ダクト用電気接続器。
【請求項２】
電気接続器を配線ダクトに取り付けた状態で、操作部を配線ダクトの長手方向に沿う器具側面に設けたことを特徴とする請求項１記載の配線ダクト用電気接続器。
【発明の詳細な説明】
【０００１】
【発明の属する技術分野】
本発明は、配線ダクト用電気接続器に関し、詳しくは、配線ダクトに電気接続器を隣接のものに干渉されることなく容易に取り付け及び取り外すことができるようにしようとする技術に係るものである。
【０００２】
【従来の技術】
従来、配線ダクト用電気接続器Ａａにおいては、図９乃至図１０に示すように、大略筒状をなし長手方向に延びる導体１ａを内方に保持するとともに長手方向に連続する開口部２ａを有した配線ダクト３に取り付けられるものである。
【０００３】
更に、配線ダクト用電気接続器Ａａは、導体１ａに電気的に接触する接触部４ａと配線ダクト３に機械的に係止する係止突部５ａとを有して配線ダクト３の開口部２ａから内方に挿入される挿入部６ａと、差し込みプラグの差込口７ａを有するとともに差込口７ａが挿入部６ａとは器具の表裏反対の側に位置するように設けられたコンセント部８ａとを備えているものである。
【０００４】
【発明が解決しようとする課題】
ところで、従来の配線ダクト用電気接続器Ａａにおいては、配線ダクト３に電気接続器Ａａを取り付け及び取り外すための操作部となる係止突部５ａは配線ダクト３の開口部２ａの幅よりも小で、その幅よりも長くしてあり、かつ、略長方形となる器具本体に固定してあることから、電気接続器Ａａ…を長手方向に近接させて取り付けて外す場合に、隣接のものが干渉して外すことができなくなるものである。外すことができるようにするには、図１１に示すように、互いの間隔を充分に確保しておく必要があり、しかして、従来の構成のものにおいては、取り付けスペースを必要以上に使用することになるものである。
【０００５】
又、従来の電気接続器Ａａにおいては、配線ダクト３に対して回転させて取り付ける構成であるから、整然と近接させて取り付けることができないものである。
【０００６】
しかも、差し込みプラグを差し込む差込口７ａを複数設ける場合には、その分、コンセント部８ａが大型化することになり、取り付け操作に必要なスペースも広く要することになるものである。
【０００７】
本発明はこのような問題に鑑みてなされたものであり、配線ダクトに電気接続器を隣接のものに干渉されることなく容易に取り付け及び取り外すことができる配線ダクト用電気接続器を提供することを課題とするものである。
【０００８】
【課題を解決するための手段】
請求項１においては、大略筒状をなし長手方向に延びる導体１を内方に保持するとともに長手方向に連続する開口部２を有した配線ダクト３に取り付けられる配線ダクト用電気接続器であって、導体１に電気的に接触する接触部４と配線ダクト３に機械的に係止する係止突部５とを有して配線ダクト３の開口部２から内方に挿入される挿入部６と、差し込みプラグの差込口７を有するとともに差込口７が挿入部６とは反対側に位置するように挿入部６と一体に設けられたコンセント部８と、差込口７と電気的に接続されると共に前記挿入部６の内部に設けられ基端部を固定し且つ先端部に前記接触部４を備える板ばね１７と、板ばね１７の中間部を押圧し接触部４を挿入部６の外部に突出させる押圧子１９と、を備えた配線ダクト用電気接続器において、配線ダクト３の長手方向に隣接して取り付けられた電気接続器Ａが干渉せず、かつ、差込口７への差し込みプラグの差し込みを阻害しない器具位置に、上記係止突部５を突没させると共に接触部４を突没させる操作部９を設けたことを特徴とするものである。
【０００９】
このような構成によれば、操作部９は、隣接の電気接続器Ａに干渉されることがなく、差し込みプラグが差込口７に差し込まれていてもこれに阻害されることがなく、電気接続器Ａ…を近接させた状態で取り付けることができ、取り付けのための作業スペース、及び、取り付けスペースも小に抑えることができ、又、操作部９は、隣接の電気接続器Ａに干渉されることがなく、差し込みプラグが差込口７に差し込まれていてもこれに阻害されることがないことから、配線ダクト３の長手方向に近接させて取り付けた電気接続器Ａ…のうち任意のものを隣接のものに干渉されることなく取り外しことができ、取り外しのための作業スペースを小に抑えることができる。
【００１０】
請求項２においては、電気接続器Ａを配線ダクト３に取り付けた状態で、操作部９を配線ダクト３の長手方向に沿う器具側面に設けたことを特徴とするものである。このような構成によれば、器具側面に設けた操作部９を容易に操作させることができ、電気接続器Ａの取り付け及び取り外しを、一層、容易におこなうことができる。
【００１１】
【発明の実施の形態】
以下、本発明の実施の形態を説明する。図１（ａ）は取り付け操作前の概略断面図、同図（ｂ）は取り付け操作後の概略断面図である。図２（ａ）は取り付け状態の概略断面図、同図（ｂ）は底面図である。図３（ａ）は取り外し操作状態の概略断面図、同図（ｂ）は底面図である。
【００１２】
配線ダクト３は、下方が開口した断面略コ字状で両下端にリップ片１０、１０が形成され、リップ片１０、１０間に開口部２が全長に形成された大略筒状のものである。配線ダクト３の左右の側壁１１、１１の内面の中間部に中間片１２、１２が全長に形成されていてリップ片１０と中間片１２との間に係止溝１３を形成している。中間片１２には全長にわたって導体１を保持させていて導体１の側面が露出している。配線ダクト３は、例えば、天井にビス等にて取り付けられる。
【００１３】
電気接続器Ａは、例えば、シーリングローゼットのようなコンセントであり、その裏面側に挿入部６が突出して形成されている。挿入部６の幅Ｗ１は配線ダクト３の開口部２の幅Ｗ２よりもやや小にしていて、挿入部６を開口部２に挿入して電気接続器Ａを配線ダクト３の長手方向に移動させることができるようにしている。
【００１４】
挿入部６の内部には導電性を備えた一対の板ばね１７、１７が器具の幅方向に弾性変位自在に保持している。一対の板ばね１７、１７の基端部はダクト長さ方向において互いに反対側になるようにしている。板ばね１７の先端部には導電性を備えた接触部４を突出させて取り付けている。板ばね１７、１７は先端部が対向する他方の板ばね１７側に変位するように予め曲げられている。挿入部６の対向する側壁部２１には通孔１８が形成されて接触部４を挿入部６の外部に突出することができるようにしている。
【００１５】
挿入部６には例えば円柱状の回転軸１４が回転自在に設けられ、回転軸１４に一体的に延出された操作ハンドル１５が器具側面に形成した長孔１６の範囲内において揺動操作可能に設けられている。回転軸１４には略小判型の押圧子１９が形成されていて回転軸１４の回転とともに押圧子１９が回転して対向する一対の板ばね１７、１７を離間させる方向に揺動させ、接触部４を通孔１８より突出させることができるようにしている。又、回転軸１４には係止突部５を設けていて回転軸１４の回転に伴って係止突部５を側部孔２０より突出させて係止突部５を配線ダクト３の係止溝１３に係止して配線ダクト３に対して電気接続器Ａを位置決めすることができるようにしている。尚、回転軸１４の断面形状は、押圧子１９と同形状のものであってもよい。
【００１６】
電気接続器Ａにおいて、挿入部６とは反対側にコンセント部８を形成している。コンセント部８は円弧状の差込口７、７が対向していて、差込口７の内部に栓刃受け（図示せず）が配置され、栓刃受けに上記板ばね１７が電気的につながっている。
【００１７】
しかして、図１（ａ）及び図２に示すように、操作部９としての操作ハンドル１５を長孔１６の一端側に位置させて係止突部５及び接触部４を挿入部６内に没入させた状態で、挿入部６を配線ダクト３の開口部２に挿入して電気接続器Ａを配線ダクト３の長手方向の任意の位置に移行させるのであり、その後、操作ハンドル１５を長孔１６に沿って操作させることで、回転軸１４を回転させて係止突部５を回転させて係止突部５を配線ダクト３の係止溝１３に係止させて電気接続器Ａを配線ダクト３に機械的に係止するのであり、又、回転軸１４の回転とともに押圧子１９を回転させて一対の板ばね１７、１７を揺動させて接触部４を側壁部２１の通孔１８より突出させて接触部４を配線ダクト３の導体１に電気的に接触させるものである。
【００１８】
このように本発明においては、操作部９としての操作ハンドル１５を配線ダクト３の長手方向に隣接して取り付けられた電気接続器Ａが干渉せず、かつ、差込口７への差し込みプラグの差し込みを阻害しない器具位置、つまり、電気接続器Ａの外部側壁２２に設けることによって、操作ハンドル１５は、隣接の電気接続器Ａに干渉されることがなく、差し込みプラグが差込口７に差し込まれていてもこれに阻害されることがなく、電気接続器Ａ…を近接させた状態で取り付けることができるのであり、取り付けのための作業スペース、及び、取り付けスペースも小に抑えることができるのであり、又、操作ハンドル１５は、隣接の電気接続器Ａに干渉されることがなく、差し込みプラグが差込口７に差し込まれていてもこれに阻害されることがないことから、配線ダクト３の長手方向に近接させて取り付けた電気接続器Ａ…のうち任意のものを隣接のものに干渉されることなく取り外しことができ、取り外しのための作業スペースを小に抑えることができるのである。
【００１９】
更に、電気接続器Ａを配線ダクト３に取り付けた状態で、操作部９を配線ダクト３の長手方向に沿う器具側面に設けたことから、器具側面に設けた操作部９を容易に操作させることができ、電気接続器Ａの取り付け及び取り外しを、一層、容易におこなうことができるものである。
【００２０】
【発明の効果】
請求項１においては、大略筒状をなし長手方向に延びる導体を内方に保持するとともに長手方向に連続する開口部を有した配線ダクトに取り付けられる配線ダクト用電気接続器であって、導体に電気的に接触し板ばねの先端に設けられた接触部と配線ダクトに機械的に係止する係止突部とを有して配線ダクトの開口部から内方に挿入される挿入部と、差し込みプラグの差込口を有するとともに差込口が挿入部とは反対側に位置するように挿入部と一体に設けられたコンセント部と、差込口と電気的に接続されると共に前記挿入部の内部に設けられ基端部を固定し且つ先端部に前記接触部を備える板ばねと、板ばねの中間部を押圧し接触部を挿入部の外部に突出させる押圧子と、を備えた配線ダクト用電気接続器において、配線ダクトの長手方向に隣接して取り付けられた電気接続器が干渉せず、かつ、差込口への差し込みプラグの差し込みを阻害しない器具位置に、挿入部の係止突部を突没させると共に接触部を突没させる操作部を設けたから、操作部は、隣接の電気接続器に干渉されることがなく、差し込みプラグが差込口に差し込まれていてもこれに阻害されることがなく、電気接続器を近接させた状態で取り付けることができ、取り付けのための作業スペース、及び、取り付けスペースも小に抑えることができ、又、操作部は、隣接の電気接続器に干渉されることがなく、差し込みプラグが差込口に差し込まれていてもこれに阻害されることがないことから、配線ダクトの長手方向に近接させて取り付けた電気接続器のうち任意のものを隣接のものに干渉されることなく取り外しことができ、取り外しのための作業スペースを小に抑えることができるという利点がある。
【００２１】
請求項２においては、請求項１の構成に加えて、電気接続器を配線ダクトに取り付けた状態で、操作部を配線ダクトの長手方向に沿う器具側面に設けたから、請求項１の効果に加えて、器具側面に設けた操作部を容易に操作させることができ、電気接続器の取り付け及び取り外しを、一層、容易におこなうことができるという利点がある。
【図面の簡単な説明】
【図１】本発明の実施の一形態を示し、（ａ）は取り付け操作前の概略断面図、（ｂ）は取り付け操作後の概略断面図である。
【図２】同上の取り付け状態を示し、（ａ）は概略断面図、（ｂ）は底面図である。
【図３】同上の取り外し操作状態を示し、（ａ）は概略断面図、（ｂ）は底面図である。
【図４】同上の配線ダクトを示し、（ａ）は長手方向の断面図、（ｂ）は横断面図である。
【図５】同上の作用を示し、（ａ）は取り付け前、（ｂ）は取り付け後の説明図である。
【図６】同上の電気接続器を示し、（ａ）は平面図、（ｂ）は正面図、（ｃ）は底面図である。
【図７】同上の電気接続器を示し、（ａ）は背面図、（ｂ）は側面図である。
【図８】同上の取り付け状態の底面図である。
【図９】従来例の取り付け前の状態を示し、（ａ）は断面図、（ｂ）は底面図である。
【図１０】従来例の取り付け後の状態を示し、（ａ）は底面図、（ｂ）は断面図である。
【図１１】従来例の底面図である。
【図１２】従来例を示し、（ａ）は平面図、（ｂ）は正面図、（ｃ）は側面図、（ｄ）は底面図である。
【符号の説明】
１  導体
２  開口部
３  配線ダクト
４  接触部
５  係止突部
６  挿入部
７  差込口
８  コンセント部
９  操作部
【図１】
0004228538.tif 000002
【図２】
0004228538.tif 000003
【図３】
0004228538.tif 000004
【図４】
0004228538.tif 000005
【図５】
0004228538.tif 000006
【図６】
0004228538.tif 000007
【図７】
0004228538.tif 000008
【図８】
0004228538.tif 000009
【図９】
0004228538.tif 000010
【図１０】
0004228538.tif 000011
【図１１】
0004228538.tif 000012
【図１２】
0004228538.tif 000013